Podtech/llm-jp-corpus-v4-ja_patent huggingface dataset:
【手続補正書】
【提出日】平成16年2月9日(2004.2.9)
【手続補正１】
【補正対象書類名】特許請求の範囲
【補正対象項目名】全文
【補正方法】変更
【補正の内容】
【特許請求の範囲】
【請求項１】
複数の耳栓（２４，８０，１１４）および前記複数の耳栓を保持するホルダ（１６２，２００）を含み、
前記複数の耳栓は、連続して接続されて、連続して接続された少なくとも２０個の一連の耳栓（１９，５４，１６０，２００，２３０）を形成し、前記一連の耳栓は、端部の耳栓および前記一連の耳栓の残りを含み、前記端部の耳栓（１７０，２２０）は、一連の耳栓の残りから切断可能である、耳栓装置。
【請求項２】
前記一連の耳栓は、最大直径（Ｄ，Ｊ，Ｑ）の箇所と、前記最大直径の箇所の直径のわずか半分以下である最小直径（Ｅ，Ｋ，Ｐ）の箇所（２２，７６，１１２，１４２，１５３）とを有し、前記最小直径の箇所は、約１センチメートルから５センチメートルほど離して間隔（Ｓ）をおかれ、前記一連の耳栓を明確に別個の耳栓へと分離する、請求項１に記載の耳栓装置。
【請求項３】
前記一連の耳栓の前記耳栓はすべて、少なくとも１つのポリマー材料の押出し物（１８）から形成され、少なくとも１つのポリマー材料は、前記一連の耳栓の長さに沿って、その最大直径の５０倍以上の長さに延在する、請求項１に記載の耳栓装置。
【請求項４】
前記一連の耳栓は、少なくとも１つのおよそ３６０°のループとして延在する、請求項１に記載の耳栓装置。
【請求項５】
前記複数の耳栓は、単一の泡のポリマー材料のみの押出し物（１８）を含み、最大直径（Ｄ）が約１２ｍｍであり、かつ前記最大直径の半分未満の直径（Ｅ）であって押出し物の長さに沿って約１ｃｍから５ｃｍほど離して間隔をおかれた収縮（２２）を有する、請求項１に記載の耳栓装置。
【請求項６】
前記複数の耳栓は、第１のエラストマ材料のコア（７０，１０２）と、主に前記コアを囲む第２の泡のエラストマ材料の被膜（７２，１００）とを含み、前記第１の材料は
、前記第２の材料の少なくとも２倍の剛性を有し、
前記コアの断面は、前記一連の耳栓の長さを通じて一貫しており、前記被膜は、前記コアのまわりで最大の厚さ（Ｊ，Ｑ）の被膜の箇所および最小の厚さ（Ｋ，Ｐ）の被膜の箇所を有し、前記最小の厚さの被膜の箇所は、前記最大の厚さの約４分の１以下の厚さを有する、請求項１に記載の耳栓装置。
【請求項７】
前記コア（１０２）は、裂け目（１０４）を有するスリーブ形状であり、前記第２の材料は前記スリーブを満たす、請求項６に記載の耳栓の配置。
【請求項８】
前記一連の耳栓は、複数の旋回において延在し、前記ホルダは、前記旋回を囲みかつ前記一連の耳栓を引抜くことのできる開口部（１７２，２１２）を有する容器（１６２，２００）を含む、請求項１に記載の耳栓装置。
【請求項９】
前記ホルダは、主として円筒形のドラム（１６４）を含み、前記一連の耳栓は、前記ドラムのまわりで複数の旋回において巻きつけられる、請求項１に記載の耳栓装置。
【請求項１０】
前記ホルダは、前記ドラムを囲む箱（１６６）を含み、前記ドラムは前記箱において回転可能であり、前記箱は、前記一連の耳栓を前記箱から引抜くことのできる開口部（１７２）と、耳栓を前記一連の耳栓の残りから切断するための、前記開口部で前記箱に装着された切断装置（１７４）とを有する、請求項９に記載の耳栓の配置。
【請求項１１】
耳栓装置を形成するための方法であって、
第１のポリマーを、最大直径が約１２ｍｍの連続して延長された押出し物へと押し出すステップと、
前記押出し物を、押出し物の長さに沿って約１ｃｍから５ｃｍ離して間隔をあけた狭い箇所へと形作るステップとを含み、そこで押出し物を容易に切断することができるが、前記押出し物を切断されない状態にすることにより、後に狭い領域で切断されて個々の耳栓を形成することができる一連の結合した耳栓を形成する、耳栓装置を形成するための方法。
【請求項１２】
前記押し出すステップは、その固まった状態において前記第１の材料よりも硬い第２の材料のコアを、押出しヘッドを通って通過させ、一方で前記第１の材料を、前記コアのまわりで前記押出しヘッドを通って押し出すステップを含み、前記第１の材料は、泡へと固まる流動性を有する泡立ち可能な材料であり、前記方法はさらに、
押出し物がまだ流動状態で前記押出しヘッドから出た後で、および押出し物の泡立ち可能な材料が泡へと固まる前に、押出し物を実質的に前記コアの直径に圧縮するステップを含む、請求項１１に記載の方法。
【請求項１３】
前記押出し物は、軸を有し、
前記形作るステップは、複数の圧縮金型の各々を前記軸に向けておよび前記押出し物へと移動させるが、この移動は押出し物を分離した断片に切断しないようにするために、前記軸の手前に間隔をあけた位置までである、請求項１１に記載の方法。
【請求項１４】
複数の耳栓を前記一連の耳栓の端部部分から、および互いから切断する一方で、一連の耳栓の大部分を無傷のままにし、それにより人の耳道へ挿入するための個々の耳栓を作り出すステップを含む、請求項１１に記載の方法。
【請求項１５】
一連の結合された耳栓を形成する押出し物を、各々が５つ以上の耳栓を含む複数のループへと巻きつけるステップを含む、請求項１１に記載の方法。
【手続補正書】
【提出日】平成16年2月9日(2004.2.9)
【手続補正１】
【補正対象書類名】特許請求の範囲
【補正対象項目名】全文
【補正方法】変更
【補正の内容】
【特許請求の範囲】
【請求項１】
フロアカバー製品パターンの選択に使用されるフロアカバーサンプル展示要素であって、パターン化された表面を含むラグ要素を備え、前記パターン化された表面は、サンプル展示要素とは独立したフロアカバー製品のパターンに対応する少なくとも２つの選択可能なパターンの配列を含むフロアカバーサンプル展示要素。
【請求項２】
前記ラグ要素は、前記カバー製品に実質的に対応するサイズ及び形状である請求項１に記載のフロアカバーサンプル展示要素。
【請求項３】
前記パターン化された表面は、サンプル展示要素とは独立したフロアカバー製品のパターンに対応する３つ又はそれ以上の選択可能なパターンの配列を含む請求項１に記載のフロアカバーサンプル展示要素。
【請求項４】
前記ラグ要素は、前記少なくとも２つの選択可能なパターンの少なくとも１部を識別する１つ又はそれ以上の一体の判読可能なパターンを更に含む請求項１に記載のフロアカバーサンプル展示要素。
【請求項５】
領域ラグフロアカバー製品パターンの選択に使用されるフロアカバーサンプル展示要素であって、パターン化された表面を含むラグ要素を備え、前記パターン化された表面は、サンプル展示要素とは独立した領域ラグフロアカバー製品のパターンに対応する少なくとも２つの選択可能なパターンの配列を含み、前記少なくとも２つの選択可能なパターンの少なくとも１つは、内側部と周縁部とを備え、前記周縁部は、内側部とは異なるパターンを含むフロアカバーサンプル展示要素。
【請求項６】
前記ラグ要素は、前記少なくとも２つの選択可能なパターンの少なくとも１部を識別する１つ又はそれ以上の一体の判読可能なパターンを更に含む請求項５に記載のフロアカバーサンプル展示要素。
【請求項７】
領域ラグフロアカバー製品パターンの選択に使用されるフロアカバーサンプル展示要素であって、パターン化された表面を含むラグ要素を備え、前記パターン化された表面は、サンプル展示要素とは独立した領域ラグフロアカバー製品のパターンに対応する少なくとも２つの選択可能なパターンの配列を含み、前記少なくとも２つの選択可能なパターンの少なくとも１つは、サンプル展示要素とは独立した領域ラグフロアカバー製品のコーナー部に対応するパターンを備えるフロアカバーサンプル展示要素。
【請求項８】
前記ラグ要素は、前記少なくとも２つの選択可能なパターンの少なくとも１部を識別する１つ又はそれ以上の一体の判読可能なパターンを更に含む請求項７に記載のフロアカバーサンプル展示要素。
【請求項９】
展示ラックと、前記展示ラックに支持された複数のサンプルラグ要素を備え、前記複数のサンプルラグ要素の少なくとも１部は、サンプルラグ要素とは独立したフロアカバー製品のパターンに対応する少なくとも２つの選択可能なパターンの配列を含むパターン化された表面を備える、複数のフロアカバー製品パターンを同時に示す展示システム。
【請求項１０】
展示ラックと、前記展示ラックに支持された複数のサンプルラグ要素を備え、前記複数のサンプルラグ要素の少なくとも１部は、サンプルラグ要素とは独立した領域ラグフロアカバー製品のパターンに対応する複数の選択可能なパターンの配列を含むパターン化された表面を備え、前記サンプルラグ要素の少なくとも１部は、前記選択可能なパターンの少なくとも１部を識別する１つ又はそれ以上の一体の判読可能なパターン識別標識を更に含む、複数のフロアカバー製品パターンを同時に示す展示システム。
【請求項１１】
表面カバー製品の選択に使用される表面カバーサンプル展示ユニットであって、パターン化された表面を含むラグ要素を備え、前記パターン化された表面は、表面カバー製品のパターンに対応する少なくとも２つの選択可能なパターンの配列を含む表面カバーサンプル展示ユニット。
【請求項１２】
前記ラグ要素は、前記少なくとも２つの選択可能なパターンの少なくとも１部を識別する１つ又はそれ以上の一体の判読可能なパターンを更に含む請求項１１に記載のサンプル展示ユニット。
【請求項１３】
製品の形状、サイズ、色、パターン、価格、仕上げ、端部処理、ベース、及びその組合わせの少なくとも１種に関連する情報を提供する製品情報要素を備える請求項１１に記載のサンプル展示ユニット。
【請求項１４】
前記製品情報要素製品は、下げ札、ＰＯＰ札、ラグ札、パンフレット、シート、ページ、注文票の１種を備える請求項１３に記載のサンプル展示ユニット。
【請求項１５】
特徴ラグを更に備える請求項１１に記載のサンプル展示ユニット。
【請求項１６】
領域ラグフロアカバー製品パターンの選択に使用されるフロアカバーサンプル展示ユニットであって、パターン化された表面を含むラグ要素を備え、前記パターン化された表面は、サンプル展示要素とは独立した領域ラグフロアカバー製品のパターンに対応する少なくとも２つの選択可能なパターンの配列を含み、前記少なくとも２つの選択可能なパターンの少なくとも１つは、内側部と周縁部とを備え、前記周縁部は、内側部とは異なるパターンを含むフロアカバーサンプル展示ユニット。
【請求項１７】
フロアカバー製品パターンの選択に使用されるフロアカバーサンプル展示ユニットであって、パターン化された表面を含むカーペット要素を備え、前記パターン化された表面は、フロアカバー製品のパターンに対応する少なくとも２つの選択可能なパターンの配列を含むフロアカバーサンプル展示ユニット。
【請求項１８】
展示ラックと、前記展示ラックに支持された複数のサンプル要素を備え、前記複数のサンプル要素の少なくとも１部は、フロアカバー製品のパターンに対応する少なくとも２つの選択可能なパターンの配列を含むパターン化された表面を備える、複数の表面カバー製品パターンを同時に示す展示システム。
【請求項１９】
展示ラックに支持されるように適合されたサンプルラグ要素を備え、前記サンプルラグ要素の少なくとも１部は、フロアカバー製品のパターンに対応する複数の選択可能なパターンの配列及び前記サンプルラグ要素に取りつけられた製品情報を含むパターン化された表面を備える、複数のフロアカバー製品パターンを同時に示す展示システム。
【請求項２０】
前記製品情報は、サイズ、形状、価格、ＳＫＵ数、バーコード、製品コード、仕上げ、端部処理、ベース構成、及びその組合わせの少なくとも１種を含む請求項１９に記載の展示システム。
【請求項２１】
サンプル領域ラグ、色選択細長敷物、及び組み込まれた製品提供情報を備える領域ラグ展示及び提供システム。
【請求項２２】
少なくとも４５の製品の選択を提供する請求項２１に記載のシステム。
【手続補正書】
【提出日】平成17年4月27日(2005.4.27)
【手続補正１】
【補正対象書類名】特許請求の範囲
【補正対象項目名】請求項３０
【補正方法】変更
【補正の内容】
【請求項３０】
保持されているカートリッジから放出される薬剤量を選択するように作動可能な服用量セッテイング機構を有する薬物注射装置のための服用可能量確認器であって：
装置の第１構成要素上に配置され導電性材料から成る回転可能マトリックスと；
回転可能マトリックスの電気的感知のためのセンサーであって、上記センサーが服用量セッテイング機構の作動中に第１構成要素に対する回転を経験する装置の第２構成要素上に配置されている、センサーとを包含し；
これにより上記マトリックスセンサーにより感知可能な上記回転可能なマトリックスのデータは服用量セッテイング機構の位置を表示可能であり；
上記センサーと配線されたコントローラーであって、上記センサーにより感知された上記回転可能マトリックスのデータを注射中にカートリッジから放出されるべき薬剤量を決定するように翻訳処理するコントローラーと；および
上記コントローラーにより決定されたように放出されるべき薬剤量を表示する可視可能なデイスプレーとを包含している、服用可能量確認器。
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
式Ｉ
【化１】
2005508291.tif 000001
の化合物及びその塩。
式Ｉ中、Ｒ1は、
(ｉ) フェニル
【化２】
2005508291.tif 000002
(ii) ピリジニル
【化３】
2005508291.tif 000003
(iii) チエニル
【化４】
2005508291.tif 000004
(iv) フラニル
【化５】
2005508291.tif 000005
(ｖ) イミダゾリル
【化６】
2005508291.tif 000006
(vi) トリアゾリル
【化７】
2005508291.tif 000007
(vii) ピロリル
【化８】
2005508291.tif 000008
(viii) チアゾリル
【化９】
2005508291.tif 000009
(ix) ピリジル−Ｎ−オキシド
【化１０】
2005508291.tif 000010
のいずれか一つから選ばれ、その際、Ｒ1フェニル環及びＲ1複素芳香族環は、それぞれ独立して直鎖及び分枝Ｃ1−Ｃ6アルキル、ＮＯ2、ＣＦ3、Ｃ1−Ｃ6アルコキシ、クロロ、フルオロ、ブロモ及びヨードから独立して選ばれる１、２又は３個の置換基によってさらに置換されていてもよい。
【請求項２】
Ｒ1フェニル環及びＲ1複素芳香族環が、それぞれ独立してメチル、ＣＦ3、クロロ、フ
ルオロ、ブロモ及びヨードから選ばれる１、２又は３個の置換基によってさらに置換されていてもよい請求項１記載の化合物。
【請求項３】
Ｒ1フェニル環及びＲ1複素芳香族環が、それぞれ独立してメチル基によってさらに置換されていてもよい請求項１記載の化合物。
【請求項４】
Ｒ1がフェニル、ピロリル、ピリジニル、チエニル又はフラニルである請求項１記載の
化合物。
【請求項５】
[（４−ジイソプロピル−カルバモイル−フェニル）−（１−フラン−３−イルメチル
−ピペリジン−４−イル）−アミノ]−フルオロ−ベンズアミド、
[（１−ベンジル−ピペリジン−４−イル）−（４−ジイソプロピル−カルバモイル−
フェニル）−アミノ]−フルオロ−ベンズアミド、
[（４−ジイソプロピル−カルバモイル−フェニル）−（１−チアゾール−２−イルメ
チル−ピペリジン−４−イル）−アミノ]−フルオロ−ベンズアミド、
[（４−ジイソプロピル−カルバモイル−フェニル）−（１−ピリジン−２−イルメチ
ル−ピペリジン−４−イル）−アミノ）−フルオロ−ベンズアミド、
[（４−ジイソプロピル−カルバモイル−フェニル）−（１−チオフェン−３−イルメ
チル−ピペリジン−４−イル）−アミノ]−フルオロ−ベンズアミド、
[（４−ジイソプロピル−カルバモイル−フェニル）−（１−ピリジン−４−イルメチ
ル−ピペリジン−４−イル）−アミノ]−フルオロ−ベンズアミド、
[（４−ジイソプロピル−カルバモイル−フェニル）−（１−ピリジン−３−イルメチ
ル−ピペリジン−４−イル）−アミノ]−フルオロ−ベンズアミド、
[（４−ジイソプロピル−カルバモイル−フェニル）−（１−チオフェン−２−イルメ
チル−ピペリジン−４−イル）−アミノ]−フルオロ−ベンズアミド、
[（４−ジイソプロピル−カルバモイル−フェニル）−（１−フラン−２−イルメチル
−ピペリジン−４−イル）−アミノ]−フルオロ−ベンズアミド、及び
[（４−ジイソプロピル−カルバモイル−フェニル）−（１−ピロール−２−イルメチ
ル−ピペリジン−４−イル）−アミノ]−フルオロ−ベンズアミド
のいずれか一つから選ばれる請求項１記載の化合物。
【請求項６】
塩酸塩、二塩酸塩、硫酸塩、酒石酸塩、ジトリフルオロ酢酸塩又はクエン酸塩の形態の請求項１〜５のいずれか一項に記載の化合物。
【請求項７】
一般式II
【化１１】
2005508291.tif 000011
（式中、ＰＧはウレタン保護基、又はベンジルもしくは置換されたベンジル保護基である）の化合物を、塩基の存在下で、パラジウム触媒を用いてＮ,Ｎ−ジイソプロピル−４−ブロモベンズアミドと反応させて一般式III
【化１２】
2005508291.tif 000012
の化合物を得、その後、これを標準条件下で脱保護し、還元条件下で一般式Ｒ1−ＣＨＯ（ここでＲ1は請求項１に記載の定義を有する）の化合物を用いてアルキル化して一般式Ｉの化合物を得ることからなる請求項１記載の式Ｉの化合物の製造方法。
【請求項８】
治療に使用するための請求項１記載の化合物。
【請求項９】
疼痛、不安症又は機能性胃腸障害の治療用医薬を製造するための請求項１記載の式Ｉの化合物の使用。
【請求項１０】
活性成分として請求項１記載の式Ｉの化合物を、医薬上許容しうる担体と共に含んでなる医薬組成物。
【請求項１１】
式III
【化１３】
2005508291.tif 000013
（式中、ＰＧはウレタン保護基、又はベンジルもしくは置換されたベンジル保護基である）の化合物。
【請求項１２】
式Ｘ
【化１４】
2005508291.tif 000014
（式中、Ｒ1はフェニル、ピリジニル、チエニル、フラニル、イミダゾリル、トリアゾリ
ル、ピロリル、チアゾリル又はピリジル−Ｎ−オキシドのいずれか１つから選択される）の化合物。
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
式Ｉ
【化１】
2005508293.tif 000001
（式中、Ｒ1は、
（ｉ）フェニル；
【化２】
2005508293.tif 000002
（ii）ピリジニル
【化３】
2005508293.tif 000003
（iii）チエニル
【化４】
2005508293.tif 000004
（iv）フラニル
【化５】
2005508293.tif 000005
（ｖ）イミダゾリル
【化６】
2005508293.tif 000006
（vi）トリアゾリル
【化７】
2005508293.tif 000007
（vii）ピロリル
【化８】
2005508293.tif 000008
（viii）チアゾリル
【化９】
2005508293.tif 000009
（ix）ピリジル−Ｎ−オキシド
【化１０】
2005508293.tif 000010
のいずれか一つから選ばれ、その際、Ｒ1複素芳香族環は、それぞれ場合により独立して
直鎖及び分枝Ｃ1−Ｃ6アルキル、ハロゲン化Ｃ1−Ｃ6アルキル、ＮＯ2、ＣＦ3、Ｃ1−Ｃ6アルコキシ、クロロ、フルオロ、ブロモ及びヨードから選ばれる１、２又は３個の置換基によってさらに置換されていてもよく；
Ｒ2は、独立してエチル及びイソプロピルから選ばれ；
Ｒ3は、独立して水素及びフルオロから選ばれ；
Ｒ4は、独立して−ＯＨ、−ＮＨ2および−ＮＨＳＯ2Ｒ5から選ばれ；そして  
Ｒ5は、独立して水素、−ＣＦ3及びＣ1−Ｃ6アルキルから選ばれるが、但し、Ｒ2がエ
チルであり、Ｒ3が水素である時は、Ｒ4は、−ＯＨであることができない）の化合物若しくはその塩又は個々の鏡像異性体若しくはその塩。
【請求項２】
Ｒ1が、フェニル、ピロリル、フラニル、チエニル又はイミダゾリルであり；Ｒ2は、エチル又はイソプロピルであり；Ｒ3は、水素又はフルオロであり；Ｒ4は、−ＮＨ2若しく
は−ＮＨＳＯ2Ｒ5であり；そしてＲ5は、Ｃ1−Ｃ6アルキルである請求項１記載の化合物
。
【請求項３】
Ｒ1が、フェニル、ピロリル、フラニル、チエニル又はイミダゾリルであり；Ｒ2は、エチル又はイソプロピルであり；Ｒ3は、水素であり；Ｒ4は、−ＮＨＳＯ2Ｒ5であり；そしてＲ5は、Ｃ1−Ｃ6アルキルである請求項１記載の化合物。
【請求項４】
複素芳香族環が、ＣＦ3、メチル、ヨード、ブロモ、フルオロ又はクロロによって置換
される請求項１記載の化合物。
【請求項５】
複素芳香族環が、メチルによって置換される請求項１記載の化合物。
【請求項６】
４−［１−（４−ベンジル−ピペラジン−１−イル）−１−（４−フルオロ−３−ヒドロキシ−フェニル）−メチル]−Ｎ,Ｎ−ジイソプロピル−ベンズアミド；
４−［１−（４−フルオロ−３−ヒドロキシ−フェニル）−１−（４−チオフェン−３−イルメチル−ピペラジン−１−イル）−メチル］−Ｎ,Ｎ−ジイソプロピル−ベンズア
ミド；
４−｛１−（４−フルオロ−３−ヒドロキシ−フェニル）−１−｛４−（１Ｈ−イミダゾール−２−イルメチル）−ピペラジン−１−イル]−メチル｝−Ｎ,Ｎ−ジイソプロピル−ベンズアミド；
４−［１−（３−アミノ−フェニル）−１−（４−ベンジル−ピペラジン−１−イル）−メチル］−Ｎ,Ｎ−ジイソプロピル−ベンズアミド；
４−［１−（３−アミノ−フェニル）−１−（４−チオフェン−３−イルメチル−ピペラジン−１−イル）−メチル］−Ｎ,Ｎ−ジイソプロピル−ベンズアミド；
４−｛１−（３−アミノ−フェニル）−１−［４−（１Ｈ−イミダゾール−２−イルメチル）−ピペラジン−１−イル］−メチル｝−Ｎ,Ｎ−ジイソプロピル−ベンズアミド；
Ｎ,Ｎ−ジイソプロピル−４−［１−（３−メタンスルホニルアミノ−フェニル）−１
−（４−チオフェン−３−イルメチル−ピペラジン−１−イル）−メチル］−ベンズアミド；
４−（［４−（３−フリルメチル）−１−ピペラジニル］｛３−［（メチルスルホニル）アミノ］フェニル｝−Ｎ,Ｎ−ジイソプロピル−ベンズアミド；
４−｛（３−アミノフェニル）［４−（３−チエニルメチル）−１−ピペラジニル］メチル｝−Ｎ,Ｎ−ジエチルベンズアミド；
４−［（３−アミノフェニル）（４−ベンジル−１−ピペラジニル）メチル]−Ｎ,Ｎ−ジエチルベンズアミド、及び
４−（（４−ベンジル−１−ピペラジニル）｛３−［（メチルスルホニル）アミノ］フェニル｝メチル）−Ｎ,Ｎ−ジエチルベンズアミド
のいずれか一つから選ばれる請求項１記載の化合物。
【請求項７】
塩酸塩、二塩酸塩、硫酸塩、酒石酸塩、ジトリフルオロ酢酸塩又はクエン酸塩の形態の請求項１〜６のいずれか一項記載の化合物。
【請求項８】
一般式II
【化１１】
2005508293.tif 000011
（式中、Ｒ2及びＲ3は請求項１に定義された通りであり、そしてＲ4はＯＭｅである）の
化合物を標準条件下でトリエチルアミンの存在下、アセトニトリル中のＢｏｃ−ピペラジンと反応させ、続いて標準条件下でＢｏｃ保護基を除去して式III
【化１２】
2005508293.tif 000012
の化合物を得、その後、これを還元条件下で式Ｒ1−ＣＨＯの化合物を用いてアルキル化
し、続いてジクロロメタン中のＢＢｒ3を用いてメチルエーテルを開裂してＲ4が−ＯＨである式Ｉの化合物を得ることからなる、Ｒ4が−ＯＨである式Ｉの化合物の製造方法。
【請求項９】
一般式IV
【化１３】
2005508293.tif 000013
（式中、Ｒ2及びＲ3は、請求項１において定義された通りであり、そしてＲ4は、ＮＯ2である）の化合物を、標準条件下でトリエチルアミンの存在下、アセトニトリル中のＢｏｃ−ピペラジンと反応させ、続いて標準条件下でＢｏｃ保護基を除去して式Ｖ
【化１４】
2005508293.tif 000014
の化合物を得、その後、これを還元的条件下で式Ｒ1−ＣＨＯの化合物を用いてアルキル
化し、続いて水素及び木炭上のパラジウムを用いてニトロ基を還元してＲ4が−ＮＨ2である式Ｉの化合物を得ることからなる、Ｒ4が−ＮＨ2である式Ｉの化合物の製造方法。
【請求項１０】
一般式VI
【化１５】
2005508293.tif 000015
（式中、Ｒ2及びＲ3は、請求項１に定義された通りであり、そしてＲ4はＮＯ2である）の化合物を、標準条件下でトリエチルアミンの存在下、アセトニトリル中のＢｏｃ−ピペラジンと反応させ、続いて触媒として木炭上のパラジウムを用いる水素化分解によりニトロ基を還元し、トリエチルアミンの存在下でジクロロメタン中のメタンスルホニル無水物を用いてメタンスルホニル化し、その後、標準条件下でＢｏｃ保護基を除去して式VII
【化１６】
2005508293.tif 000016
の化合物を得、その後、これを還元的条件下で式Ｒ1−ＣＨＯの化合物を用いてアルキル
化し、続いて水素及び木炭上のパラジウムを用いてニトロ基を還元してＲ4が−ＮＨＳＯ2Ｒ5である式Ｉの化合物を得ることからなる、Ｒ4が−ＮＨＳＯ2Ｒ5である式Ｉの化合物の製造方法。
【請求項１１】
式Ｉの化合物又はその塩を有効成分として含有する医薬。
【請求項１２】
疼痛、不安症又は機能性胃腸障害の治療のための請求項１１記載の医薬。
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
式Ｉ
【化１】
2005508290.tif 000001
（式中、Ｒ1は、
（ｉ）フェニル；
【化２】
2005508290.tif 000002
（ii）ピリジニル
【化３】
2005508290.tif 000003
（iii）チエニル
【化４】
2005508290.tif 000004
（iv）フラニル
【化５】
2005508290.tif 000005
（ｖ）イミダゾリル
【化６】
2005508290.tif 000006
（vi）トリアゾリル
【化７】
2005508290.tif 000007
（vii）ピロリル
【化８】
2005508290.tif 000008
（viii）チアゾリル
【化９】
2005508290.tif 000009
（ix）ピリジル−Ｎ−オキシド
【化１０】
2005508290.tif 000010
のいずれか一つから選ばれ、その際、Ｒ1フェニル環及びＲ1複素芳香族環は、それぞれ独立して直鎖及び分枝Ｃ1−Ｃ6アルキル、ＮＯ2、ＣＦ3、Ｃ1−Ｃ6アルコキシ、クロロ、フルオロ、ブロモ及びヨードから選ばれる１、２又は３個の置換基によってさらに置換されていてもよい）の化合物又はその塩。
【請求項２】
Ｒ1フェニル環及びＲ1複素芳香族環が、それぞれ独立してメチル、ＣＦ3、クロロ、フ
ルオロ、ブロモ及びヨードから選ばれる１、２又は３個の置換基によってさらに置換されていてもよい請求項１記載の化合物。
【請求項３】
Ｒ1フェニル環及びＲ1複素芳香族環が、それぞれ独立してメチル基によってさらに置換されていてもよい請求項１記載の化合物。
【請求項４】
Ｒ1がフェニル、ピロリル、ピリジニル、チエニル又はフラニルである請求項１記載の
化合物。
【請求項５】
３−［（１−ベンジル−ピペリジン−４−イル）−（４−ジイソプロピル−カルバモイル−フェニル）−アミノ]−ベンズアミド；
３−［（４−ジイソプロピル−カルバモイル−フェニル）−（１−ピリジン−２−イルメチル−ピペリジン−４−イル）−アミノ］−ベンズアミド；
３−［（４−ジイソプロピル−カルバモイル−フェニル）−（１−チオフェン−２−イルメチル−ピペリジン−４−イル）−アミノ］−ベンズアミド；
３−［（４−ジイソプロピル−カルバモイル−フェニル）−（１−チアゾール−２−イル−メチル−ピペリジン−４−イル）−アミノ］−ベンズアミド；
３−［（４−ジイソプロピル−カルバモイル−フェニル）−（１−チオフェン−３−イルメチル−ピペリジン−４−イル）−アミノ]−ベンズアミド；
３−［（４−ジイソプロピル−カルバモイル−フェニル）−（１−フラン−２−イル−メチル−ピペリジン−４−イル）−アミノ］−ベンズアミド；
３−［（４−ジイソプロピル−カルバモイル−フェニル）−（１−フラン−３−イル−メチル−ピペリジン−４−イル）−アミノ］−ベンズアミド；
３−［［１−（４−クロロ−ベンジル）−ピペリジン−４−イル］−（４−ジイソプロピル−カルバモイル−フェニル）−アミノ］−ベンズアミド；
３−｛（４−ジイソプロピル−カルバモイル−フェニル）−［１−（３Ｈ−イミダゾ
ール−２−イル−メチル）−ピペリジン−４−イル］−アミノ｝−ベンズアミド；
３−［［１−（４−フルオロ−ベンジル）−ピペリジン−４−イル］−（４−ジイソプロピル−カルバモイル−フェニル）−アミノ］−ベンズアミド；
３−［（４−ジイソプロピル−カルバモイル−フェニル）−（１−ピロール−２−イル−メチル−ピペリジン−４−イル）−アミノ］−ベンズアミド；
３−［［１−（４−メチル−ベンジル）−ピペリジン−４−イル］−（４−ジイソプロピル−カルバモイル−フェニル）−アミノ］−ベンズアミド；又は
３−［［１−（４−エチル−ベンジル）−ピペリジン−４−イル］−（４−ジイソプロピル−カルバモイル−フェニル）−アミノ］−ベンズアミド
のいずれか一つから選ばれる請求項１記載の化合物。
【請求項６】
塩酸塩、二塩酸塩、硫酸塩、酒石酸塩、ジトリフルオロ酢酸塩又はクエン酸塩の形態の請求項１〜５のいずれか一項記載の化合物。
【請求項７】
一般式II
【化１１】
2005508290.tif 000011
（式中、ＰＧは、ウレタン保護基、又はベンジルもしくは置換されたベンジル保護基である）の化合物を、塩基の存在下で、パラジウム触媒を用いてＮ,Ｎ−ジイソプロピル−４−ブロモベンズアミドと反応させて一般式III
【化１２】
2005508290.tif 000012
の化合物を得、その後、これを標準条件下で脱保護し、還元条件下で一般式Ｒ1−ＣＨＯ
の化合物を用いてアルキル化して一般式Ｉの化合物を得ることからなる式Ｉの化合物の製造方法。
【請求項８】
一般式IV
【化１３】
2005508290.tif 000013
（式中、ＰＧは、ウレタン保護基、又はベンジルもしくは置換されたベンジル保護基である）の化合物を、塩基の存在下で、パラジウム触媒を用いて３−ブロモベンゾニトリルと反応させて一般式III
【化１４】
2005508290.tif 000014
の化合物を得、その後、これを標準条件下で脱保護し、還元条件下で一般式Ｒ1−ＣＨＯ
の化合物を用いてアルキル化し、一般式Ｉの化合物を得ることからなる式Ｉの化合物の製造方法。
【請求項９】
式Ｉの化合物又はその塩を有効成分として含有する医薬。
【請求項１０】
疼痛、不安症又は機能性胃腸障害の治療のための請求項９記載の医薬。
【請求項１１】
式III
【化１５】
2005508290.tif 000015
（式中、ＰＧは、ウレタン保護基、又はベンジルもしくは置換されたベンジル保護基である）の化合物。
【請求項１２】
一般式Ｘ
【化１６】
2005508290.tif 000016
（式中、Ｒ1は、フェニル、ピリジニル、チエニル、フラニル、イミダゾリル、トリアゾ
リル、ピロリル、チアゾリル又はピリジル−Ｎ−オキシドのいずれか１つから選択される）の化合物。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
モータ機構を収容した機体を有するヘリコプターであって、前記モータ機構が、前記機体を通して垂直に延びるメイン駆動シャフトに取り付けられたメイン・プロペラ、およびテール・ロータに動力を供給するヘリコプターにおいて、
前記メイン・プロペラと前記メイン駆動シャフトとの間に取り付けられた水平安定化手段であって、前記メイン・プロペラが前記機体とは独立に前記メイン駆動シャフトの周りで自由に枢動できるようにする水平安定化手段をさらに有しており、
前記メイン・プロペラが回転中にピッチし始めた時、その回転によって生み出された遠心力を有する回転中のメイン・プロペラは、ヘリコプターが実質的に水平な姿勢を保つように前記ピッチを打ち消すような態様で前記水平安定化手段の周りで枢動するようになっているヘリコプター。
【請求項２】
前記水平安定化手段が、前記メイン駆動シャフトに取り付けられた枢動メイン・ロータ・ヘッド、および前記メイン・プロペラから下方向に延びるメイン・プロペラ・マウントとして規定されており、前記メイン・プロペラ・マウントは、前記メイン・プロペラが前記メイン駆動シャフトの周りで枢動することができるように前記枢動メイン・ロータ・ヘッドに枢動可能に取り付けられている請求項１に記載のヘリコプター。
【請求項３】
前記機体に位置付けられた複数の通気孔と、前記モータ機構に連絡するコンボ・ギアとを有することによって画定される前記機体を内部冷却するための手段をさらに有しており、前記コンボ・ギアは、該コンボ・ギアが回転するときに空気を複数の通気孔を通して機体内に引き込むように位置付けられた複数の冷却ブレードを有している請求項２または請求項１に記載のヘリコプター。
【請求項４】
前記メイン・プロペラが前記駆動シャフトに関連して枢動するときに、前記水平安定化手段が前記メイン・プロペラに対して反動力を及ぼし、該反動力が、前記メイン・プロペラを実質的に水平な姿勢にするようになっている請求項１に記載のヘリコプター。
【請求項５】
前記水平安定化手段が、
前記駆動シャフトに固定された第１のＵ字ジョイントであって、１対のレッグを有し、各レッグが、実質的に丸められた端部を含む第１のＵ字ジョイントと、
メイン・プロペラに固定された第２のＵ字ジョイントと、
第１のＵ字ジョイントの各レッグの端部がメイン・プロペラに実質的に向かって配置されるように、第２のＵ字ジョイントを第１のＵ字ジョイントに枢動可能に取り付ける枢動ピンと、
第１のＵ字ジョイントの端部と前記メイン・プロペラとの間に位置付けられた弾性Ｏリングとを含んでおり、
前記メイン・プロペラが前記駆動シャフトに関連して枢動するときに、前記弾性Ｏリングが前記メイン・プロペラに対して反動力を及ぼし、それにより該反動力が、前記メイン・プロペラを実質的に水平姿勢に戻すようになっている請求項４に記載のヘリコプター。
【請求項６】
前記水平安定化手段が、前記メイン・プロペラに取り付けられたロータ・アタッチメントと、該ロータ・アタッチメントに画定された下端部に第１の枢動方向で枢動可能に接続するジョイントと、第２の枢動方向で前記ジョイントに枢動可能に取り付けられたヨークとを含み、前記第１の枢動方向が、前記プロペラによって画定された１対のブレードと平行であり、前記第２の枢動方向が、前記第１の枢動方向と垂直である請求項１に記載のヘリコプター。
【請求項７】
前記メイン・プロペラが、
前記水平安定化手段から単一の軸線に沿って外方向に延びる１対のブレードであって、各ブレードが先導縁部と、水平安定化手段の近位にある端部として画定される近位端部と、遠位端部とを有しているブレードと、
前記各ブレードの近位端部および遠位端部に取り付けられ、前記各ブレードの先導縁部の前方に位置付けられた安全円弧部とを含んでいる請求項１から請求項６までのいずれか１項に記載のヘリコプター。
【請求項８】
前記安全円弧部が、近位端部の近傍の比較的平らな水平面から、遠位端部の近傍のより幅の広い垂直面に移行する直径を有する請求項７に記載のヘリコプター。
【請求項９】
前記メイン・プロペラが、
水平面に沿って前記水平安定化手段から外方向に延びる１対のブレードであって、各ブレードが、先導縁部と、水平安定化手段の近位にある端部として画定された近位端部と、遠位端部とを有しているブレードと、
前記各ブレードの近位端部および遠位端部に取り付けられ、各ブレードの先導縁部の前方に位置付けられた安全円弧部と、
前記水平面に沿って前記水平安定化手段から外方向に延びる１対のフライバーとを含んでおり、
前記メイン・プロペラが回転しており且つピッチし始めたときに、その回転によって生み出される大きな遠心力を有しているフライバーが、ヘリコプターを実質的に水平な姿勢に保つように、前記ピッチを打ち消す態様で前記水平安定化手段の周りで前記ブレードを枢動させるようになっている請求項１から請求項６までのいずれか１項に記載のヘリコプター。
【請求項１０】
前記メイン・プロペラが、
前記水平安定化手段に固定されたクロスバー・ジョイントと、
前記クロスバー・ジョイントから水平面に沿って外方向に枢動可能に延びる１対のブレードであって、各ブレードがクロスバー・ジョイントの近位にある端部、および遠位端部を有しているブレードと、
前記水平面に沿ってクロスバー・ジョイントから外方向に延びる１対のクロスバーであって、各クロスバーが、クロスバー・ジョイントに固定された近位にある端部、および遠位端部を有しているクロスバーと、
前記各クロスバーの遠位端部に固定され、各ブレードの遠位端部を受けるための枢動部を有している円形の安全リングと、
前記各ブレードに画定される先導縁部と後続縁部の両方から外方向に延びるフライバーであって、それぞれが前記水平面に沿って延びるフライバーとを含んでおり、
前記メイン・プロペラが回転しており且つピッチし始めたときに、その回転によって生み出された大きな遠心力を有している前記フライバーが、ヘリコプターを実質的に水平な姿勢に保つように、前記ピッチを打ち消す態様で前記水平安定化手段の周りで前記ブレードを枢動させるようになっている請求項１から請求項６までのいずれか１項に記載のヘリコプター。
【請求項１１】
前記メイン・プロペラが、
１対のブレードがもう１対のブレードに垂直になるように前記水平安定化手段から水平面に沿って外方向に枢動可能に延びる２対のブレードであって、各ブレードが水平安定化手段の近位にある端部、および遠位端部を有しているブレードと、
前記各ブレードの遠位端部を受けるための枢動部を有する円形の安全リングと、
前記各ブレードに画定された先導縁部から外方向に延びるフライバーとを含んでおり、
前記メイン・プロペラが回転しており且つピッチし始めたときに、その回転によって生み出された大きな遠心力を有しているフライバーが、ヘリコプターを実質的に水平な姿勢に保つように、前記ピッチを打ち消すような態様で前記水平安定化手段の周りで前記ブレードを枢動させるようになっている請求項１に記載のヘリコプター。
【請求項１２】
前記フライバーが重り付き端部を含み、それによって回転により生み出される遠心力を高めている請求項９、請求項１０、または請求項１１に記載のヘリコプター。
【手続補正書】
【提出日】平成16年7月5日(2004.7.5)
【手続補正１】
【補正対象書類名】特許請求の範囲
【補正対象項目名】全文
【補正方法】変更
【補正の内容】
【特許請求の範囲】
【請求項１】
固体フィルム形成材料からカプセル封入に適したフィルムを作製する装置であって、
a)少なくとも一つのキャスティングドラムと、
b)前記フィルム形成材料をオンデマンドで溶融する手段と、
c)ポンプ手段と、
d)押出デバイスと、を備え、
前記押出デバイスが、垂直から、かつ前記押出デバイスからの流れの方向から2〜10°傾斜していることを特徴とする装置。
【請求項２】
前記フィルム形成材料を溶融する前記手段が溶融格子を備えることを特徴とする請求項1に記載の装置。
【請求項３】
前記溶融格子が前記固体フィルム形成材料の上方にあることを特徴とする請求項2に記載の装置。
【請求項４】
前記溶融格子が前記固体フィルム形成材料の下方にあることを特徴とする請求項2に記載の装置。
【請求項５】
前記ポンプ手段が容積式ポンプであることを特徴とする請求項1に記載の装置。
【請求項６】
前記容積式ポンプが、歯車ポンプ、ローブポンプ、サインポンプ、ウォームポンプ、およびアルキメデスねじからなるグループから選択されることを特徴とする請求項5に記載の装置。
【請求項７】
前記押出デバイスが、チャンバおよび押出スロットを備えることを特徴とする請求項1に記載の装置。
【請求項８】
前記押出デバイスが、コートハンガーダイであることを特徴とする請求項7に記載の装置。
【請求項９】
カプセル封入に適したフィルムを作製するプロセスであって、
a)液体ゲル塊を用意するステップと、
b)前記液体ゲル塊を凝固させるステップと、
c)要求に応じて前記固体ゲル塊の一部だけを溶融し、前記液体ゲル塊を押出デバイスにポンピングするステップと、
d)前記液体ゲル塊を前記押出デバイスを介して押し出すステップと、
e)前記押出デバイスを、垂直から、かつ前記押出デバイスからの流れの方向から2〜10°傾斜させるステップと、を含むことを特徴とするプロセス。
【請求項１０】
軟質カプセルを作製する装置であって、
a)少なくとも一つのキャスティングドラムと、
b)フィルム形成材料をオンデマンドで溶融する手段と、
c)ポンプ手段と、
d)押出デバイスと、を備え、
前記キャスティングドラムはその上に、前記押出デバイスによって、カプセル封入に有用な材料のリボンが付着され、前記押出デバイスは、垂直から、かつ前記押出デバイスからの流れの方向から2〜10°傾斜していることを特徴とする装置。
【請求項１１】
前記押出デバイスの傾斜は約5°であることを特徴とする請求項10に記載の装置。
【請求項１２】
前記押出デバイスの傾斜は約5°であることを特徴とする請求項1に記載の装置。
【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
鋳物砂と粘結剤とから成る混合物（３）から、鋳造目的のための鋳型または中子（２）を製造するための方法であって、鋳物砂と粘結剤とを混合して、鋳型用または中子用の成形工具（８）内に持ち込み、その後に粘結剤を硬化させて、鋳型または中子（２）に所要の強度を付与する形式の方法において、硫酸マグネシウムを水中に分散させかつ／または溶解させて、粘結剤として鋳物砂と混合し、その後に鋳型用または中子用の成形工具（８）内に持ち込むか、または吹き込み、次いで鋳型用または中子用の成形工具（８）内で水を加熱して少なくとも部分的に蒸発させ、そして鋳型用または中子用の成形工具（８）から駆出することを特徴とする、鋳造目的のための鋳型または中子を製造するための方法。
【請求項２】
鋳物砂と、水中の硫酸マグネシウムの分散液および／または溶液とから成る混合物（３）を、鋳型用または中子用の成形工具（８）内でマイクロ波および／または赤外線放射器によって加熱する、請求項１記載の方法。
【請求項３】
加熱により蒸発された水をガス状の媒体、たとえば窒素および／または二酸化炭素および／または空気によって鋳型用または中子用の成形工具（８）から駆出し、この場合、駆出のために働く前記ガス状媒体を加圧によるか、または吸込みおよび負圧によって成形工具に通して搬送し、ひいては形成された鋳型または中子に通して搬送する、請求項１または２記載の方法。
【請求項４】
加熱により鋳型用または中子用の成形工具（８）内に形成された水蒸気を、熱いガスによって駆出する、請求項１から３までのいずれか１項記載の方法。
【請求項５】
結晶水を有しないか、または少なくとも１個の結晶水を有する硫酸マグネシウムを、複数個の結晶水、場合によっては最大７個の結晶水を有する硫酸マグネシウムとの混合物の形で水中に分散させ、かつ／または溶解させて、粘結剤として鋳物砂と混合し、水と結晶水の一部とを加熱により蒸発させ、次いで駆出する、請求項１から４までのいずれか１項記載の方法。
【請求項６】
硬化のための少なくとも１つの加熱装置を備えた、鋳型または中子（２）を製造するための装置（１）であって、当該装置（１）が鋳型を製造するためには造型機であり、当該装置（１）が中子を製造するためにはコアシュータである形式のものにおいて、造型機またはコアシュータ（１）に加熱装置として少なくとも１つのマイクロ波発生器（９）が設備されており、鋳型用または中子用の成形工具（８）の範囲に少なくとも１つのマイクロ波アンテナ（１０）が配置されており、該マイクロ波アンテナ（１０）が導波管（１１）を介して前記マイクロ波発生器（９）と結合可能であるか、または結合されていることを特徴とする、鋳型または中子を製造するための装置。
【請求項７】
当該装置（１）を、ガスまたは水蒸気を駆出するためのガス掃気過程に合わせて調節することにより、それと同時にマイクロ波発生器（９）が導波管（１１）を介してマイクロ波アンテナ（１０）と結合可能である、請求項６記載の装置。
【請求項８】
ガス掃気過程に合わせた調節運動により、マイクロ波発生器（９）とマイクロ波アンテナ（１０）との結合が自動的に行われるようになっている、請求項６または７記載の装置。
【手続補正書】
【提出日】平成16年5月28日(2004.5.28)
【手続補正１】
【補正対象書類名】特許請求の範囲
【補正対象項目名】全文
【補正方法】変更
【補正の内容】
【特許請求の範囲】
【請求項１】
冷却液処理処方物であって、以下：
ａ．金属イオン封鎖手段、
ｂ．キレート化手段、
ｃ．緩衝化手段、
ｄ．分散手段、
ｅ．ペプチゼーション手段、
ｆ．解膠手段、
ｇ．乳化手段、
ｈ．研磨手段、
ｉ．吸着手段、
ｊ．鉄金属保護手段、
ｋ．非鉄金属保護手段、
ｌ．腐食抑制手段、
を含有する、処方物。
【請求項２】
請求項１に記載の処方物であって、該処方物は、以下：
ａ．Ｃ６Ｈ５Ｎａ３Ｏ７、
ｂ．Ｎａ５Ｐ３Ｏ１０、
ｃ．Ｎａ−Ａ型ゼオライト、
ｄ．ＥＤＴＡ、および
ｅ．ＳｉＯ２  ＮＡ２Ｏ、
を含有する、処方物。
【請求項３】
前記処方物が、液体形態である、請求項１に記載の処方物。
【請求項４】
前記処方物が、固体形態である、請求項１に記載の処方物。
【請求項５】
前記処方物が、粉末形態である、請求項１に記載の処方物。
【請求項６】
前記処方物が、顆粒形態である、請求項１に記載の処方物。
【請求項７】
前記処方物が、界面活性剤を含む、請求項１に記載の処方物。
【請求項８】
前記界面活性剤が、ジデシルジメチルアンモニウムクロライドを含む、請求項７に記載の処方物。
【請求項９】
前記処方物が、生物殺傷剤を含有する、請求項１に記載の処方物。
【請求項１０】
前記処方物が、漏出指示色素を含有する、請求項１に記載の処方物。
【請求項１１】
前記処方物が、食品等級の構成要素からなる、請求項１に記載の処方物。
【請求項１２】
前記処方物が、７〜９の範囲のｐＨで前記冷却液を緩衝化する構成要素からなる、請求項１に記載の処方物。
【請求項１３】
請求項１に記載の処方物であって、前記緩衝処方物が、約３〜７％のケイ酸ナトリウム、１１％〜１２％のＥＤＴＡ、３２％〜３７％のゼオライト、１％〜４％のトリポリリン酸ナトリウムおよび４５％〜５０％のクエン酸ナトリウムから構成される、処方物。
【請求項１４】
請求項１に記載の処方物であって、前記冷却剤を構成する、キレート化成分、金属イオン封鎖成分およびイオン交換成分が、生水内のスケール形成金属を金属イオン封鎖またはキレート化するために必要な化学量論的量を超え、それにより、スケール生成金属の可溶性レベルを大きく増大させる濃度により駆動される力を生じ、通常では不溶性である沈殿成分の再溶解をもたらす、処方物。
【請求項１５】
請求項１に記載の処方物であって、イオン交換媒体が、処理されるシステムのイオン交換の性能のために内的に組み込まれている、処方物。
【請求項１６】
請求項１５に記載の処方物であって、前記イオン交換媒体が、前記処理されるシステムおよび該システムに付随する冷却液からの、消費されたイオン交換媒体の物理的除去を可能にするように、固体の非溶解性型のものである、処方物。
【請求項１７】
前記吸収手段、吸着手段、研磨手段およびイオン交換手段が、ゼオライトを含めることによって達成される、請求項１に記載の処方物。
【請求項１８】
前記金属イオン封鎖手段、分散手段、ペプチゼーション手段、解膠手段、乳化手段、腐食抑制手段、鉄金属保護手段および非鉄金属保護手段が、トリポリリン酸ナトリウムを含めることによって達成される、請求項１に記載の処方物。
【請求項１９】
前記金属イオン封鎖手段、緩衝化手段、研磨手段、分散手段、解膠手段、乳化手段、腐食抑制手段、非鉄金属保護手段および鉄金属保護手段が、粉末化ケイ酸ナトリウムを含めることによって達成される、請求項１に記載の処方物。
【請求項２０】
前記キレート化手段および緩衝化手段が、ＥＤＴＡを含めることによて達成される、請求項１に記載の処方物。
【請求項２１】
前記金属イオン封鎖手段およびキレート化手段が、クエン酸ナトリウムを含めることによって達成される、請求項１に記載の処方物。
【請求項２２】
前記処方物が、活性生物殺傷剤を含有しない、請求項１に記載の処方物。
【請求項２３】
冷却液処理処方物であって、３．８重量％のＳｉＯ２  ＮＡ２Ｏ、１１．６重量％のＥＤＴＡ、３６．３重量％のＮａ−Ａ型ゼオライト、１．４重量％のＮａ５Ｐ３Ｏ１０および４６．９重量％のＣ６Ｈ５Ｎａ３Ｏ７を含有する、処方物。
【請求項２４】
ＨＶＡＣシステムのための冷却液処理処方物であって、該システム中の処理されるべき水１リットル当たりの重量比で、以下：
４０ｍｇ／ｌのＳｉＯ２（５７．２％のＳｉＯ２および２３．８％のＮａ２Ｏとして）；
１７１ｍｇ／ｌのＥＤＴＡ（８１％のＮａ４ＥＤＴＡとして）；
６．２５ｍｇ／ｌのＰ（Ｎａ５Ｐ３Ｏ１０として）；
８６５ｍｇ／ｌのシトレート（Ｃ６Ｈ５Ｎａ３Ｏ７として）；および
２６．７ｍｇ／ｌのジデシルジメチルアンモニウムクロライド（８０％）、
を含有する、処方物。
【請求項２５】
界面活性剤をさらに含有する、請求項２４に記載の処方物。
【請求項２６】
前記界面活性剤が、ジデシルジメチルアンモニウムクロライドを含む、請求項２５に記載の処方物。
【請求項２７】
漏出指示色素をさらに含有する、請求項２４に記載の処方物。
【請求項２８】
ＨＶＡＣシステムのための冷却液処理処方物であって、該システム中の処理されるべき水１リットル当たりの重量比で、以下：
４０ｍｇ／ｌのＳｉＯ２（５７．２％のＳｉＯ２および２３．８％のＮａ２Ｏとして）；
１７１ｍｇ／ｌのＥＤＴＡ（８１％のＮａ４ＥＤＴＡとして）；
６６０ｍｇ／ｌのゼオライト（Ｎａ−Ａ型）；
６．２５ｍｇ／ｌのＰ（Ｎａ５Ｐ３Ｏ１０として）；
８６５ｍｇ／ｌのシトレート（Ｃ６Ｈ５Ｎａ３Ｏ７として）；および
２６．７ｍｇ／ｌのジデシルジメチルアンモニウムクロライド（８０％）、
を含有する、処方物。
【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
直立した側部（１１、１３）を有する金属板(１０)を曲げる方法であって、側部（１１、１３）を一端に向かって徐々に薄くなるように圧延して金属板を薄くなった端から離れる方向に曲げることを特徴とする上記の方法。
【請求項２】
２つのローラ（１５、１６および１７、１８）間で各直立した側部（１１、１３）を圧延し、圧延中に、ローラの２つの軸間の角度および／または圧延力を変えて金属板の曲げ半径を変えることを特徴とする、請求項１に記載の方法。
【請求項３】
圧延中に、所定の計画に従ってローラの軸間の角度および／または圧延力を変えることを特徴とする、請求項２に記載の方法。
【請求項４】
直立した側部の端をビード（１２、１３）に形成された金属板（１０）、特に、屋根板を曲げるための、請求項１〜３のいずれか１項に記載の方法であって、ビード（１２、１３）を薄くすることなく、側部をビードに向かって徐々に薄くなるように圧延することを特徴とする上記の方法。
【請求項５】
直立した側部（１１、１３）を有する金属板を曲げるための曲げ装置であって、各側部に対して、間で側部を圧延するための一対のロール（１５、１６および１７、１８）を有する圧延装置（１９、２０）と、圧延力を調整する装置（４２）と、ロール軸間の角度を調節する装置（４０、４１）とを含むことを特徴とする上記の曲げ装置。
【請求項６】
圧延装置（１９、２０）が、フレーム（３０）によって移動可能に支持されており、金属板の幅に合わせて調節するためにガイド（３１〜３４）に沿って互いに対して前後方向に移動できるようになっていることを特徴とする、請求項５に記載の曲げ装置。
【請求項７】
圧延装置（１９、２０）が、側方へ自由に移動可能であり、金属板の幅に合わせて金属板の直立した側部によって側方へ案内されることを特徴とする、請求項６に記載の曲げ装置。
【請求項８】
角度および圧延力を調節するための装置が、モータによって制御されるボールねじ（４
１、４２）を含むことを特徴とする、請求項５〜７のいずれか１項に記載の曲げ装置。
【請求項９】
ガイドに沿って圧延装置（１９、２０）を変位させるボールねじ（３６）を含むことを特徴とする、請求項５〜８のいずれか１項に記載の曲げ装置。
【手続補正書】
【提出日】平成16年2月26日(2004.2.26)
【手続補正１】
【補正対象書類名】特許請求の範囲
【補正対象項目名】全文
【補正方法】変更
【補正の内容】
【特許請求の範囲】
【請求項１】
ネジ蓋組立部品を具備した容器（１９）を製造する方法であって、
ネジ蓋（１１）の開口（１５）が壁部（１８）に被せられ壁部（１８）によって覆われるように、雌ネジ（１２）が設けられたネジ蓋（１１）を上記容器の本体（１）の加熱された壁部（１８）に対して配置するステップと、
前記壁部（１８）において、前記ネジ蓋（１１）を金型として使用して、雄ネジが設けられた突起（１７）を熱成形するステップと、
を特徴とし、
前記突起（１７）を熱成形するステップは、上記容器（１９）の上記本体（１）を熱成形するステップと一体的に実行される、
方法。
【請求項２】
上記本体（１）を熱成形するステップは、前記ネジ蓋（１１）が配置される孔（１４）を備えた成形手段（８）で実行される、請求項１に記載の方法。
【請求項３】
上記本体（１）、および、上記本体と一体的に製造される上記突起（１７）は、加圧空気式成形動作によって熱成形され、加圧空気式成形動作では、加熱されたウェブ形状又はシート形状の本体材料（４）が空気によって成形手段（８）へ圧入され、これによって、前記空気が前記突起（１７）を形成するため前記壁部（１８）を上記ネジ蓋（１１）へ圧入する、請求項１または２に記載の方法。
【請求項４】
ネジ蓋組立体を具備した容器（１９）を製造する方法であって、
ネジ蓋（１１）の開口（１５）が壁部（１８）に被せられ壁部（１８）によって覆われるように、雌ネジ（１２）が設けられたネジ蓋（１１）を上記容器の本体（１）の加熱された壁部（１８）に対して配置するステップと、
前記壁部（１８）において、前記ネジ蓋（１１）を金型として使用して、雄ネジが設けられた突起（１７）を熱成形するステップと、
を特徴とし
前記突起（１７）を熱成形するステップよりも前に、上記容器（１９）の上記本体（１）に内容物を詰め、上記容器（１９）を封止するステップが先行する、
方法。
【請求項５】
上記突起（１７）は加圧空気式成形動作によって熱成形され、加圧空気式成形動作では、上記加熱された壁部（１８）が前記突起（１７）を形成するため上記ネジ蓋（１１）に挿入される、請求項４記載の方法。
【請求項６】
上記加熱された壁部（１８）は、貫通する吸引ダクト（２３）を介した上記ネジ蓋（１１）からの排気によって上記ネジ蓋（１１）に挿入され、これにより、大気中よりも低い圧力が上記ネジ蓋（１１）に発生し、上記壁部（１８）を上記ネジ蓋（１１）に吸引する、請求項５記載の方法。
【請求項７】
前記本体（１）は、鉱物材料の充填剤とポリオレフィンの結合剤を含むコア層を有する材料（４）製である、請求項１から６のいずれか一項に記載の方法。